(57)【要約】【課題】配管のシール部の破損を防止し、便器本体を設置する際の施工性が良好な水洗式便器を提供すること。【解決手段】便器本体１１０に接続する配管と、便器本体１１０の後方の上面部１１３を覆う後方カバー４と、後方カバー４の一端から下方に延出して便器本体１１０の側面に沿い、配管２の少なくとも一部を覆う配管カバー５と、を備える水洗式便器１００である。配管カバー５は、後方カバー４と一体の金属製プレートにより形成され、後方カバー４の一端から屈曲して下方に延びることが好ましい。【選択図】図１
2020084725.tif 000002
【特許請求の範囲】
【請求項１】
便器本体に接続する配管と、
前記便器本体の後方の上面部を覆う後方カバーと、
前記後方カバーの一端から下方に延出して前記便器本体の側面に沿い、前記配管の少なくとも一部を覆う配管カバーと、を備える水洗式便器。
【請求項２】
前記配管カバーは、前記後方カバーと一体の金属製プレートにより形成され、前記後方カバーの前記一端から屈曲して下方に延びる、請求項１に記載の水洗式便器。
【請求項３】
前記配管カバーは、前記後方カバーの前記一端側に取り付けられ、前記後方カバーと別体に構成される、請求項１に記載の水洗式便器。
【請求項４】
前記配管カバーは、樹脂製の柔軟な部材により構成される、請求項３に記載の水洗式便器。
【請求項５】
前記配管カバーは、前記便器本体の後方の上面部と前記配管との間の隙間を覆う、請求項１〜３のいずれか１項に記載の水洗式便器。
【発明の詳細な説明】
【技術分野】
【０００１】
本発明は、水洗式便器に関する。
【背景技術】
【０００２】
従来、水洗式便器の便器本体には、内部を洗浄する洗浄水を供給する配管が接続される。配管と便器本体とを接続する部分には、弾性部材等の部品で水が漏れないようにシールされ、配管が固定されている（例えば、特許文献１参照）。
【先行技術文献】
【特許文献】
【０００３】
【特許文献１】特開２００８−３０３６１６号公報
【発明の概要】
【発明が解決しようとする課題】
【０００４】
ところで、水洗式便器をトイレルーム等に設置する場合、便器本体は、配管が接続された状態で持ち上げられ、動かされて、設置されることがある。このとき、便器本体には握りやすい部分がないために、施工者が接続された配管を掴んでしまう場合があった。しかし、配管は水漏れを防止するために便器本体と密着するようにシールされており、力を入れて掴んだり持ち上げたりすると、シール部が破損して密着性が損なわれる懸念が生じていた。
【課題を解決するための手段】
【０００５】
本発明は、便器本体（例えば、後述の便器本体１１０）に接続する配管（例えば、後述の配管２）と、前記便器本体の後方の上面部（例えば、後述の後方上面部１１３）を覆う後方カバー（例えば、後述の後方カバー４）と、前記後方カバーの一端から下方に延出して前記便器本体の側面に沿い、前記配管の少なくとも一部を覆う配管カバー（例えば、後述の配管カバー５）と、を備える水洗式便器（例えば、後述の水洗式便器１００）に関する。
【０００６】
前記配管カバーは、前記後方カバーと一体の金属製プレートにより形成され、前記後方カバーの前記一端から屈曲して下方に延びることが好ましい。
【０００７】
前記配管カバーは、前記後方カバーの前記一端側に取り付けられ、前記後方カバーと別体に構成されることが好ましい。
【０００８】
前記配管カバーは、樹脂製の柔軟な部材により構成されることが好ましい。
【０００９】
前記配管カバーは、前記便器本体の後方の上面部と前記配管との間の隙間を覆うことが好ましい。
【発明の効果】
【００１０】
本発明によれば、配管のシール部の破損を防止し、便器本体を設置する際の施工性が良好な水洗式便器を提供することができる。
【図面の簡単な説明】
【００１１】
【図１】第一実施形態の水洗式便器を示す図である。
【図２】第一実施形態の水洗式便器を側面から見た図である。
【図３】第一実施形態の後方カバー及び配管カバーの斜視図である。
【図４】第二実施形態の後方カバー及び配管カバーを示し、（ａ）図は後方カバー及び配管カバーの斜視図であり、（ｂ）図は後方カバー及び配管カバーが便器本体に取り付けられた状態を示す。
【図５】第三実施形態の後方カバー及び配管カバーを示し、（ａ）図は後方カバー及び配管カバーの上面側から見た斜視図であり、（ｂ）図は下面側から見た斜視図である。
【図６】第三実施形態の後方カバー及び配管カバーが便器本体に取り付けられた状態を後方側から見た図である。
【発明を実施するための形態】
【００１２】
以下、本発明の第一実施形態について、図面を参照しながら詳細に説明する。図１は、第一実施形態の水洗式便器１００を示す図である。水洗式便器１００は、便器本体１１０と、配管２と、シール部３と、後方カバー４と、配管カバー５と、を有する。
【００１３】
便器本体１１０は、全体が陶器により形成される。図１に示すように、便器本体１１０は、ボウル部１１１と、周縁部１１２と、後方上面部１１３と、配管貫通孔１１４と、を有する。
【００１４】
ボウル部１１１は、便器本体１１０の前方に配置され、上部が開口するとともに下方に窪む部分である。ボウル部１１１の下部は排水口に接続されており、洗浄水が供給されて汚物を排水する。
【００１５】
周縁部１１２は、ボウル部１１１の環状の外周縁の上面であり、便座（図示省略）が載置される。
【００１６】
後方上面部１１３は、便器本体１１０の後方に配置され、周縁部１１２から後方に延出する平坦な面である。後方上面部１１３には、給水弁や給水タンク等（図示省略）の給水部を構成する部品が設置される。
なお、本明細書において前方とは、水洗式便器１００に対して使用者が着座する側であり、後方とはその反対の側を意味する。
【００１７】
配管貫通孔１１４は、便器本体１１０の後方から内部に向かって貫通する孔であり、後述する配管２が接続される。配管貫通孔１１４は、接続される配管２に応じて２つ形成されており、リム配管貫通孔１１４ａと、ジェット配管貫通孔１１４ｂと、を有する。
【００１８】
図２は、水洗式便器１００を側面から見た図である。
配管２は、給水部から便器本体１１０に接続され、洗浄水を便器本体１１０に給水する。配管２は、リム配管２１及びジェット配管２２を有する。
リム配管２１は、便器本体１１０の周縁部１１２に洗浄水を供給する管である。リム配管２１は、図２に示すように、リム配管貫通孔１１４ａを挿通して水平方向後方に延びている。リム配管２１は、リム配管貫通孔１１４ａとの接続部でシールされ、固定される。
ジェット配管２２は、便器本体１１０のボウル部１１１の底に向けて洗浄水を供給する管である。ジェット配管２２は、ジェット配管貫通孔１１４ｂに挿通され、固定される。ジェット配管２２は、便器本体１１０の内奥でシールされており、ジェット配管貫通孔１１４ｂの周囲では、シールされていない。
【００１９】
シール部３は、便器本体１１０に接続するリム配管２１をシールする。シール部３は、ナット３１と、ワッシャ３２と、パッキン３３と、バックアップリング及び抜け止め部材（図示省略）を有する。
パッキン３３は、二つの径の異なる円筒が接続されたゴム製の部材である。パッキン３３の径の小さな円筒状の部分がリム配管貫通孔１１４ａに接続され、径の大きな円筒状の部分がリム配管貫通孔１１４ａの後方に露出した状態で嵌められる。
ワッシャ３２は、パッキン３３の後方の面に配置される。
ナット３１は、バックアップリング及び抜け止め部材をリム配管貫通孔１１４ａの前方側に、パッキン３３及びワッシャ３２をリム配管貫通孔１１４ａの後方側に配置した状態で、リム配管２１に挿通し、リム配管貫通孔１１４ａの後方側に締結される。ナット３１が締結されることで、パッキン３３及びワッシャ３２等が押圧され、リム配管貫通孔１１４ａの周囲の便器本体１１０の面に密着することで、リム配管２１とリム配管貫通孔１１４ａの周囲のわずかな隙間がシールされ、シール部３が構成される。
【００２０】
図３は、第一実施形態に係る後方カバー４及び配管カバー５の斜視図である。第一実施形態では、後方カバー４及び配管カバー５は、互いに連続した一体の金属製のプレートである。
【００２１】
後方カバー４は、便器本体１１０の後方上面部１１３の上面に載置されて固定される。後方カバー４は、便器本体１１０の後方上面部１１３を覆う薄い板材である。後方カバー４は平面部４１と、配管支持部４２と、ビード部４３と、を有する。
【００２２】
平面部４１は、後方上面部１１３に形成される段差や凹凸に適合して位置合わせ可能に成形されている。平面部４１は細長い形状をしており、長手方向が便器本体１１０の幅方向（前後方向に略直交する方向）に沿って配置される。
【００２３】
配管支持部４２は、平面部４１から連続して後方に延び、リム配管２１及びジェット配管２２の周囲を囲う部分である。配管支持部４２は、平面部４１から高さ方向上方に起立する三つの側壁部４２１と、三つの側壁部４２１に繋がる上面部４２２とを有し、上面部４２２には、リム配管２１及びジェット配管２２が挿通可能な貫通孔４２３が二つ形成されている。
【００２４】
ビード部４３は、平面部４１から裏面側に向かって凸となるようにプレス成形された部分である。ビード部４３が形成されることで、平面部４１は、そのままでは後方上面部１１３に密着しない。ネジ等で平面部４１を後方上面部１１３に固定する際に、ねじの締結の強さを調整することで、後方上面部１１３と平面部４１との間の高さを調整することができるように構成されている。
【００２５】
配管カバー５は、後方カバー４の長手方向の一端側に設けられ、下方に向かって延出する。図３に示すように、配管カバー５は、便器本体１１０に配管２が接続される側における平面部４１の一端側の縁から、平面部４１に対して略直角に屈曲し、下方に延びる。配管カバー５は、略長方形の板面である。
【００２６】
図２に示すように、配管カバー５は、便器本体１１０の側面に沿って延び、リム配管２１の側部の少なくとも上部側を覆う。配管カバー５は、シール部３よりも後方寄りに配置され、便器本体１１０におけるリム配管貫通孔１１４ａとリム配管２１との間のシール部３を露出した状態で配置される。シール部３が露出していることにより、出荷時の試験等で水漏れ等が生じた場合に確認しやすくなる。
リム配管２１と、便器本体１１０の後方上面部１１３との間には、側面視で見た場合に隙間Ｓ１が形成されている。配管カバー５は、リム配管２１の側部で上面側の半分程を覆うと同時に、リム配管２１と、後方上面部１１３との間の隙間Ｓ１を覆っている。また、配管カバー５は、水洗式便器１００の側部表面に取り付けられるサイドカバー（図示省略）の内側に配置される。
【００２７】
第一実施形態によれば、以下の効果を奏する。
第一実施形態では、水洗式便器１００を、便器本体１１０に接続する配管２と、便器本体１１０の後方上面部１１３を覆う後方カバー４と、後方カバー４の一端から下方に延出して便器本体１１０の側面に沿い、配管２の少なくとも一部を覆う配管カバー５と、を含んで構成した。
配管カバー５が設けられない場合、リム配管２１は掴むのに適した形状をしており、かつ、掴みやすい位置に接続されているので、施工者はリム配管２１を掴んで便器本体１１０を持ち上げたり、設置したりしてしまうことがある。しかし、配管カバー５が便器本体１１０の側面に沿って延び、リム配管２１の側部の少なくとも上部を覆っていると、施工者はリム配管２１のみを握ることが難しくなる。一方、便器本体１１０の後方上面部１１３からリム配管２１の下面までには所定の高さがあるので、力を入れて持ちづらい。その結果、施工者はリム配管２１を掴むことを避けるようになる。これにより、リム配管２１に力が加わりにくくなるので、シール部３の破損が防止され、シール部３が良好に保護される。また、シール部３が保護されるので、水洗式便器１００の設置の施工性が向上する。
【００２８】
第一実施形態では、配管カバー５を、後方カバー４と一体の金属製プレートにより形成し、後方カバー４の一端から屈曲して下方に延出させた。後方カバー４と配管カバー５を一体の金属製プレートにすることで、部品点数を削減し、製造工程を容易にすることができる。また、後方カバー４及び配管カバー５の剛性を高くすることができるので、保護性能も向上する。
【００２９】
第一実施形態では、配管カバー５により、便器本体１１０の後方上面部１１３とリム配管２１との間の隙間Ｓ１を覆うように構成した。配管カバー５がリム配管２１と後方上面部１１３との間の隙間Ｓ１の側部を覆っているので、施工者は隙間Ｓ１に手を入れることができない。また、配管カバー５からリム配管２１の下面を掴むためには、後方カバー４、配管カバー５、リム配管２１と複数の異なる部材を跨って持つこととなるので、掴みにくい。よって、施工者はリム配管２１を掴むことを避けるようになり、上記と同様の効果を奏する。
【００３０】
図４（ａ）は、第二実施形態の後方カバー及び配管カバーの斜視図であり、図４（ｂ）は後方カバー及び配管カバーが便器本体に取り付けられた状態を示す。図４（ａ）及び図４（ｂ）を参照して、第二実施形態に係る水洗式便器１００Ａについて説明する。第二実施形態以降の説明において、第一実施形態と共通する構成については、説明を省略する。
【００３１】
第二実施形態に係る水洗式便器１００Ａでは、配管カバー５Ａがジェット配管２２側まで延びていることが第一実施形態と異なる。図４（ａ）に示すように、配管カバー５Ａは、第１カバー部５１と、第２カバー部５２と、を有する。第２実施形態において後方カバー４と、第１カバー部５１及び第２カバー部５２とは、連続して一体に形成される金属製プレートである。
【００３２】
第１カバー部５１は、便器本体１１０における配管２が接続される側で、後方カバー４の一端から下方に向かって延出する略台形の板面である。第１カバー部５１は、第一実施形態における配管カバー５と比べて面積が大きい。
【００３３】
第２カバー部５２は、第１カバー部５１の下端縁から便器本体１１０の幅方向の内側に向かって屈曲する。第２カバー部５２は、略長方形の板面である。
【００３４】
図４（ｂ）は、便器本体１１０を後方側から見た状態を示している。図４（ｂ）に示すように、第１カバー部５１は、リム配管２１の側部を覆うとともに、後方上面部１１３とリム配管２１との間の隙間Ｓ１を覆っている。第１カバー部５１が略台形の形状になっていることより、第１カバー部５１に連続する第２カバー部５２がジェット配管２２の傾斜に沿うように配置される。第２カバー部５２は、リム配管２１とジェット配管２２との間の隙間Ｓ２を覆っている。
【００３５】
第二実施形態によれば、リム配管２１とジェット配管２２との隙間Ｓ２も覆われており、シール部３とともにリム配管２１及びジェット配管２２の周囲も覆われている。このため、施工者はリム配管２１の下側の面に触れることができない。また、第２カバー部５２は、ジェット配管２２の傾斜に沿って傾斜していることに加え、後方カバー４の一端側の縁から第２カバー部５２の下端までの距離が長く、掴みやすい寸法となっていない。このため、施工者はリム配管２１及びジェット配管２２のいずれをも掴むことを避けるようになる。よって、第一実施形態と同様の効果を奏する。
【００３６】
図５（ａ）は、第三実施形態の後方カバー４Ｂ及び配管カバー５Ｂを上面側から見た斜視図であり、図５（ｂ）は後方カバー４Ｂ及び配管カバー５Ｂを下面側から見た斜視図である。図６は、後方カバー４Ｂ及び配管カバー５Ｂが便器本体１１０に取り付けられた状態を後方側から見た図である。図５（ａ）〜図６を参照して、第三実施形態に係る水洗式便器１００Ｂについて説明する。
【００３７】
第三実施形態は、後方カバー４Ｂと配管カバー５Ｂとが別体で形成され、配管カバー５Ｂが後方カバー４Ｂの一端側に取り付けられている点で、第一実施形態及び第二実施形態と異なる。図５（ａ）に示すように、第三実施形態では、後方カバー４は金属製のプレートであるが、配管カバー５Ｂは、施工者が掴もうとしたときに変形する程度柔軟な樹脂製である。
【００３８】
図５（ｂ）に示すように、第三実施形態では、後方カバー４Ｂは、配管カバー５Ｂの取付部４４を有する。取付部４４は、便器本体１１０における配管２が接続される側の平面部４１の一端側が、下方に折り曲げられて屈曲することで形成される。取付部４４は、平坦な面で形成され、小さな四角形の開口４４ａを有する。
【００３９】
図５（ａ）及び図５（ｂ）に示すように、配管カバー５Ｂは、便器本体１１０の幅方向の中央側に向かって開口し三面が連続した略コの字型に形成され、上面部５３と、側面部５４と、湾曲部５５と、を有する。
【００４０】
上面部５３は、後方カバー４の平面部４１における長手方向の一端側の上に重ねて配置される平坦な面である。
【００４１】
側面部５４は、上面部５３の延びる方向に略直交する方向に屈曲し、下方に向かって延出する略台形の板面である。側面部５４の下端縁は、ジェット配管２２の傾斜に沿って傾斜している。
【００４２】
図５（ｂ）に示すように、側面部５４の裏面（便器本体１１０側に向かう面）には、便器本体１１０側に向かって突出する弾性変形可能な突起部５４１が一対形成されており、突起部５４１の先端側には、向かい合う突起部５４１同士の外側に向かって突出する爪部５４２が形成されている。突起部５４１は、後方カバー４Ｂの取付部４４に形成された開口４４ａに押し込まれて係合する。爪部５４２は、開口４４ａの幅よりも外側に突出することで、突起部５４１が開口４４ａを挿通した後、抜けることを防止する。
【００４３】
湾曲部５５は、側面部５４の傾斜した下端縁から、便器本体１１０側に向かいつつ、ジェット配管２２の円筒形の形状に合わせて断面視略半円形に湾曲する。
【００４４】
図６に示すように、第三実施形態に係る配管カバー５Ｂは、後方カバー４Ｂの一端の便器本体１１０に配管２が接続する側に取り付けられる。後方カバー４Ｂは、便器本体１１０の後方上面部１１３とリム配管２１との隙間Ｓ１を覆うとともに、側面部５４がリム配管２１とジェット配管２２との間の隙間Ｓ２を覆う。さらに、側面部５４から便器本体１１０の内側に向かって延びるとともに、ジェット配管２２に合わせて湾曲する湾曲部５５が、ジェット配管２２の上面に沿って配置される。
【００４５】
第三実施形態によれば、配管カバー５Ｂを後方カバー４Ｂと別体に構成し、樹脂により成型したので、低い製造コストで製造することができるとともに、着脱を容易にすることができる。また、樹脂製の配管カバー５Ｂは、施工者が掴もうとしたときに変形する程度柔軟である。掴んだ部分が変形すると、施工者は形状が安定していないと理解し、掴むことを避けるので、結果的にシール部３を効果的に保護することができる。
なお、配管カバー５Ｂの樹脂の剛性は適宜変更が可能であるが、掴むと変形する程度の剛性にすることで、掴まれたか否かを施工者が理解できる。
【００４６】
以上、本発明の好ましい実施形態について説明したが、本発明は、上述の実施形態に制限されるものではなく、適宜変更が可能である。
例えば、配管カバーは、図面に例示された形状に限られない。配管カバーが後方カバーの一端から下方に延出して便器本体１１０の側面に沿い、配管２の少なくとも一部を覆うことができれば、リム配管２１の一部のみ覆っていても、リム配管及びジェット配管のいずれを覆っていてもよく、形状は適宜変更してよい。また、配管カバーの材質や色等も限定されない。配管カバーは、透明で柔軟に形成されてもよい。さらに、後方カバーと配管カバーが別体で構成される場合、その結合方法及び形状は適宜変更してよい。
【００４７】
また、配管カバーを樹脂製にした場合、剛性が高く変形しない材質であってもよい。
【符号の説明】
【００４８】
２      配管
３      シール部
４      後方カバー
５      配管カバー
１００  水洗式便器
１１０  便器本体
１１３  後方上面部（後方の上面部）
【図１】
2020084725.tif 000003
【図２】
2020084725.tif 000004
【図３】
2020084725.tif 000005
【図４】
2020084725.tif 000006
【図５】
2020084725.tif 000007
【図６】
2020084725.tif 000008